(57)【要約】【課題】保温性と伸縮性とを両立することができる運動用シャツを提供する。【解決手段】使用者の少なくとも腹直筋を圧迫する加圧前立て部と、前記使用者の少なくとも上腕の上部を締め付ける加圧袖付け部と、前記使用者の少なくとも背柱起立筋を圧迫する加圧後ろ立て部と、前記使用者の上半身の前面を保温する保温前見頃部と、前記使用者の上半身の背面を保温する保温後ろ見頃部と、前記使用者の上腕を保温する保温袖部とを有し、前記加圧前立て部は、前記使用者の上半身の前面の中央部に配置され、２つの前記保温前見頃部は、前記加圧前立て部の左右にそれぞれ配置され、２つの前記保温袖部は、前記使用者の両腕の部分にそれぞれ配置され、２つの前記加圧袖付け部は、前記保温袖部と前記保温前見頃部との間であって、前記使用者の両腕の脇近傍にそれぞれ配置される。【選択図】図３
2019183298.tif 000002
【特許請求の範囲】
【請求項１】
使用者が運動時に着用する運動用シャツであって、
前記使用者の少なくとも腹直筋を圧迫する加圧前立て部と、
前記使用者の少なくとも上腕の上部を締め付ける加圧袖付け部と、
前記使用者の少なくとも背柱起立筋を圧迫する加圧後ろ立て部と、
前記使用者の上半身の前面を保温する保温前見頃部と、
前記使用者の上半身の背面を保温する保温後ろ見頃部と、
前記使用者の上腕を保温する保温袖部と
を有し、
前記加圧前立て部は、前記使用者の上半身の前面の中央部に配置され、
２つの前記保温前見頃部は、前記加圧前立て部の左右にそれぞれ配置され、
２つの前記保温袖部は、前記使用者の両腕の部分にそれぞれ配置され、
２つの前記加圧袖付け部は、前記保温袖部と前記保温前見頃部との間であって、前記使用者の両腕の脇近傍にそれぞれ配置される、
ことを特徴とする運動用シャツ。
【請求項２】
前記加圧前立て部、前記加圧袖付け部および前記加圧後ろ立て部は、伸縮性のある合成繊維で構成される生地である、
ことを特徴とする、請求項１に記載の運動用シャツ。
【請求項３】
前記保温前見頃部、前記保温後ろ見頃部および前記保温袖部は、ポリウレタン製の断熱性のある合成繊維で構成される生地である、
ことを特徴とする、請求項１または請求項２に記載の運動用シャツ。
【発明の詳細な説明】
【技術分野】
【０００１】
本発明は、使用者が運動時に着用する運動用シャツに関する。
【背景技術】
【０００２】
従来、保温機能のあるシャツまたは着圧感のある伸縮性のあるシャツがあった。特許文献１では、ゴルフスイングのように、両腕を大きく振り上げる動作を伴うスポーツにおいて、後身頃部の特に肩甲骨に対応する部位に生じ易い引き攣れを軽減するために、後身頃と肩合せ部及び後袖付部の縫合部近傍に、伸縮性に富む生地からなる布地小片を介して縫合形成したことを特徴とする運動用シャツに関する技術を開示している。特許文献２では、汗をかいた状態でも、身体の動きの妨げになりにくく、着崩れしにくい運動用シャツとして、シャツの前後面に横長の孔を穿設してあり、前記孔が穿設された位置は前屈したときに身体が折れ曲がる位置又はその付近に設定してあることを特徴とする運動用シャツに関する技術を開示している。
【先行技術文献】
【特許文献】
【０００３】
【特許文献１】特開平１１−６１５３０号公報
【特許文献２】特開２００３−３３０４号公報
【発明の概要】
【発明が解決しようとする課題】
【０００４】
特許文献１および特許文献２には、保温性と伸縮性とを両立する運動用シャツに関する記載がない。また、保温性のある運動用シャツでは、伸縮性が乏しい場合がある。また、伸縮性のある運動用シャツでは、保温性が乏しい場合がある。
【０００５】
本発明は、保温性と伸縮性とを両立することができる運動用シャツを提供することを目的とする。また、本発明は、筋力トレーニングおよびダイエットの双方に効果があり、筋力トレーニング且つダイエットのための運動時に使用すると運動効果を増すことができる運動用シャツを提供することを目的としてもよい。
【課題を解決するための手段】
【０００６】
上記課題を解決するために、本発明の一つの実施形態は、使用者が運動時に着用する運動用シャツであって、前記使用者の少なくとも腹直筋を圧迫する加圧前立て部と、前記使用者の少なくとも上腕の上部を締め付ける加圧袖付け部と、前記使用者の少なくとも背柱起立筋を圧迫する加圧後ろ立て部と、前記使用者の上半身の前面を保温する保温前見頃部と、前記使用者の上半身の背面を保温する保温後ろ見頃部と、前記使用者の上腕を保温する保温袖部とを有し、前記加圧前立て部は、前記使用者の上半身の前面の中央部に配置され、２つの前記保温前見頃部は、前記加圧前立て部の左右にそれぞれ配置され、２つの前記保温袖部は、前記使用者の両腕の部分にそれぞれ配置され、２つの前記加圧袖付け部は、前記保温袖部と前記保温前見頃部との間であって、前記使用者の両腕の脇近傍にそれぞれ配置される、ことを特徴とする運動用シャツを提供する。
【０００７】
本発明の他の実施形態は、上記の運動用シャツであって、前記加圧前立て部、前記加圧袖付け部および前記加圧後ろ立て部は、伸縮性のある合成繊維で構成される生地である、ことを特徴とする運動用シャツであってもよい。
【０００８】
本発明の他の実施形態は、上記のいずれかの運動用シャツであって、前記保温前見頃部、前記保温後ろ見頃部および前記保温袖部は、ポリウレタン製の断熱性のある合成繊維で構成される生地である、ことを特徴とする運動用シャツであってもよい。
【発明の効果】
【０００９】
本発明に係る運動用シャツによれば、保温性と伸縮性とを両立することができる。
【図面の簡単な説明】
【００１０】
【図１】本発明の実施形態に係る運動用シャツの外側前面の一例を説明する説明図である。
【図２】本発明の実施形態に係る運動用シャツの外側背面の一例を説明する説明図である。
【図３】本発明の実施形態に係る運動用シャツの内側前面の一例を説明する説明図である。
【図４】本発明の実施形態に係る運動用シャツの内側背面の一例を説明する説明図である。
【図５】本発明の実施例に係る運動用シャツの一例を説明する説明図である。
【発明を実施するための形態】
【００１１】
実施形態および実施例に係る運動用シャツの例を用いて、本発明を説明する。なお、本発明は、以後に説明する運動用シャツ以外でも、保温性と伸縮性とを両立するシャツ、肌着およびその他着るものであれば、いずれのものにも用いることができる。なお、運動用シャツの色や柄は、特に限定されない。また、運動用シャツに広告スペースや広告をプリントしているものであってもよい。
【００１２】
下記に示す順序で、本発明を説明する。
１．運動用シャツの構成
２．運動用シャツの実施例
【００１３】
（１．運動用シャツの構成）
図１乃至図４を用いて、本発明の実施形態に係る運動用シャツの構成を説明する。ここで、図１は、実施形態に係る運動用シャツ１００の外側前面の一例を説明する説明図である。図２は、実施形態に係る運動用シャツ１００の外側背面の一例を説明する説明図である。図３は、実施形態に係る運動用シャツ１００の内側前面の一例を説明する説明図である。図４は、実施形態に係る運動用シャツ１００の内側背面の一例を説明する説明図である。なお、図１等に示す運動用シャツの構成等は一例であり、本発明は図１等に示す運動用シャツ等に限定されるものではない。
【００１４】
図１乃至図４に示すように、本発明に係る運動用シャツ１００は、使用者が運動時に着用するシャツである。運動用シャツ１００は、本実施形態では、図１乃至図４に示すように、使用者の腹直筋および腹直筋の近傍を圧迫する加圧前立て部１１（図１、図３）と、使用者の上腕の上部および上腕の近傍を締め付ける加圧袖付け部１２、１２Ｒ（図１乃至図４）と、使用者の背柱起立筋および背柱起立筋の近傍を圧迫する加圧後ろ立て部１１Ｒ（図２、図４）と、使用者の上半身の前面を保温する保温前見頃部１３（図３）と、使用者の上半身の背面を保温する保温後ろ見頃部１３Ｒ（図４）と、使用者の上腕を保温する保温袖部１４、１４Ｒ（図３、図４）とを有する。
【００１５】
図１及び図３に示すように、加圧前立て部１１は、シャツの両面（内側および外側）であって、使用者の上半身の前面の中央部に配置される。図３に示すように、２つの保温前見頃部１３は、シャツの内側であって、加圧前立て部１１の左右にそれぞれ配置される。図３及び図４に示すように、２つの保温袖部１４、１４Ｒは、シャツの内側であって、使用者の両腕の部分にそれぞれ配置される。図３に示すように、２つの加圧袖付け部１２は、シャツの両面（内側および外側）であって、保温袖部１４と保温前見頃部１３との間であって、使用者の両腕の脇近傍にそれぞれ配置される。なお、本発明において、生地の編み方または織り方については特に限定されるものではなく、公知の技術を用いることができる。
【００１６】
加圧前立て部１１、加圧袖付け部１２、１２Ｒおよび加圧後ろ立て部１１Ｒは、本実施形態では、伸縮性のある合成繊維で構成される生地である。また、加圧前立て部１１、加圧袖付け部１２、１２Ｒおよび加圧後ろ立て部１１Ｒの形状は、想定される使用者の体格に基づいて、設計、実験、計算などで予め定められる形状とすることができる。加圧前立て部１１、加圧袖付け部１２、１２Ｒおよび加圧後ろ立て部１１Ｒは、スパンデックス高配合のテリレン生地を用いることができる。なお、加圧前立て部１１、加圧袖付け部１２、１２Ｒおよび加圧後ろ立て部１１Ｒは、伸縮性に富む生地であれば、いずれの生地も用いることができる。
【００１７】
これにより、本発明に係る運動用シャツ１００は、加圧前立て部１１、加圧袖付け部１２、１２Ｒおよび加圧後ろ立て部１１Ｒを用いて、関節部分や表面部分に着圧効果を発揮することができ、小さいサイズのシャツを着衣することでより締め付け効果を発揮することができる。
【００１８】
保温前見頃部１３、保温後ろ見頃部１３Ｒおよび保温袖部１４、１４Ｒは、本実施形態では、ポリウレタン製の断熱性のある合成繊維で構成される生地である。また、保温前見頃部１３、保温後ろ見頃部１３Ｒおよび保温袖部１４、１４Ｒの形状は、想定される使用者の体格に基づいて、設計、実験、計算などで予め定められる形状とすることができる。保温前見頃部１３、保温後ろ見頃部１３Ｒおよび保温袖部１４、１４Ｒは、熱可塑性ポリウレタンの生地を用いることができる。なお、保温前見頃部１３、保温後ろ見頃部１３Ｒおよび保温袖部１４、１４Ｒは、保温性に富む生地であれば、いずれの生地も用いることができる。
【００１９】
これにより、本発明に係る運動用シャツ１００は、保温前見頃部１３、保温後ろ見頃部１３Ｒおよび保温袖部１４、１４Ｒを用いて、体温の保温効果を発揮することができる。また、本発明に係る運動用シャツ１００は、運動時に、通常の運動よりも温度（体温）の高い状態で運動をすることができ、代謝や発汗などの促進が可能となり、運動効率をより高めることができる。
【００２０】
以上のとおり、本発明に係る運動用シャツ１００によれば、加圧前立て部１１、加圧袖付け部１２、１２Ｒおよび加圧後ろ立て部１１Ｒ、並びに、保温前見頃部１３、保温後ろ見頃部１３Ｒおよび保温袖部１４、１４Ｒを用いて、保温性と伸縮性とを両立することができる。また、本発明に係る運動用シャツ１００によれば、使用者（着用者）が加圧前立て部１１、加圧袖付け部１２、１２Ｒおよび加圧後ろ立て部１１Ｒ、並びに、保温前見頃部１３、保温後ろ見頃部１３Ｒおよび保温袖部１４、１４Ｒを利用することができるので、筋力トレーニングおよびダイエットの双方に効果があり、筋力トレーニング且つダイエットのための運動時に使用すると運動効果を増すことができる。
【００２１】
また、本発明に係る運動用シャツによれば、加圧前立て部１１、加圧袖付け部１２、１２Ｒおよび加圧後ろ立て部１１Ｒ、並びに、保温前見頃部１３、保温後ろ見頃部１３Ｒおよび保温袖部１４、１４Ｒを用いて、保温性と伸縮性とを両立することができ、より簡易で軽量な運動用シャツを製造することができる。更に、本発明に係る運動用シャツによれば、圧前立て部１１、加圧袖付け部１２、１２Ｒおよび加圧後ろ立て部１１Ｒ、並びに、保温前見頃部１３、保温後ろ見頃部１３Ｒおよび保温袖部１４、１４Ｒを用いて、保温性と伸縮性とを両立することができる従来にないシャツを提供することができる。
【実施例】
【００２２】
（２．運動用シャツの実施例）
図５（ａ）及び図５（ｂ）に、本発明の実施例に係る運動用シャツを示す。ここで、図５（ａ）は、実施例に係る運動用シャツの外側前面の一例を説明する説明図である。図５（ｂ）は、実施例に係る運動用シャツの内側前面の一例を説明する説明図である。
【００２３】
図５（ａ）及び図５（ｂ）に示すように、本実施例に係る運動用シャツは、伸縮性が必要な関節部分や横伸縮用にＡ加圧部分を用いて、その他部分をサウナ素材であるＢ保温部分を用いる。これにより、本実施例に係る運動用シャツは、実施形態に係る運動用シャツ１００（図１乃至図４）と同様の効果を得ることができる。
【符号の説明】
【００２４】
１００  ：  運動用シャツ
１１  ：  加圧前立て部
１１Ｒ：  加圧後ろ立て部
１２，１２Ｒ：  加圧袖付け部
１３  ：  保温前見頃部
１３Ｒ：  保温後ろ見頃部
１４，１４Ｒ：  保温袖部
【図１】
2019183298.tif 000003
【図２】
2019183298.tif 000004
【図３】
2019183298.tif 000005
【図４】
2019183298.tif 000006
【図５】
2019183298.tif 000007